(57)【要約】【課題】初期の厚みが薄く、充放電サイクル経過後も厚み増加が僅かであり、エネルギー密度の高い電池パックを提供する。【解決手段】形状が薄型直方体の筐体中に角型電池を収納した電池パックにおいて、前記筐体の最大面積をもつ二つの面の中央部に開口部を設け、前記開口部が絶縁材で被覆されていることを特徴とする。【選択図】図３
2004022234.tif 000002
【特許請求の範囲】
【請求項１】
形状が薄型直方体の筐体内に角型電池を収納した電池パックにおいて、前記筐体の最大面積をもつ二つの面の中央部に開口部を設け、前記開口部が絶縁材で被覆されていることを特徴とする電池パック。
【発明の詳細な説明】
【０００１】
【発明の属する技術分野】
本発明は、角型電池を使用し、薄型化に適した電池パックの構造に関するものである。
【０００２】
【従来の技術】
近年、電子機器の小型化、軽量化および携帯機器化に伴い、電子機器の電源としての電池パックの需要が増加している。電池パックに使用される電池としては、一般に充放電が可能である二次電池が多用されており、中でも最近では、エネルギー密度の高いリチウムイオン電池等の非水電解質二次電池の使用比率が高まっている。このような状況の中で、特に携帯電話機用等ではさらなる電池パックの薄型化が求められている。
【０００３】
従来の電池パックは、一般的に、二つの嵌合する樹脂成形品からなる薄型直方体形状の筐体の中に電池を収納した後に、嵌合部を超音波溶着によって接合し、次いで表面に銘板を貼り付けることで製造している。
【０００４】
図１は従来の電池パックの構造を示したもので、図１（ａ）は電池パックの上面からの透視図、図１（ｂ）は要部断面図である。図１において、１は上ケース、３は電池、４は電池の負極端子、５は絶縁材、６は配線材、７は回路基板、８は両面接着テープ、９は下ケースである。
【０００５】
従来の電池パックは、図１（ａ）に示すように、回路基板７と正極端子を兼ねる電池ケースとを金属製リードからなる配線材６で接続し、つぎに電池３の側面に絶縁材５を貼り付け、負極端子４と回路基板７とが配線材６で接続される。そして、図１（ｂ）に示したように、両面接着テープ８を用いて、電池３を下ケース９に固定し、上ケース１と下ケース９とを超音波接合して筐体とする。
【０００６】
なお、ここで回路基板７は、入出力端子・ＩＣ、ＦＥＴ、サーミスタ、抵抗、コンデンサーなどからなる保護回路・保護素子等を基板に組み込んだものである。また、保護素子としては、ＰＴＣ（正温度特性抵抗素子）やバイメタル式のサーマルプロテクターなどが用いられている。
【０００７】
保護素子は、このように回路基板に組み込むことができるほか、配線材の経路中に直列に組み込むことも可能である。
【０００８】
ここで、電池と、入出力端子と保護回路と保護素子等を備えた回路基板とを、金属製の配線材で接合したもの、すなわち発電要素を「コアパック」とする。また、入出力端子は、回路基板の表面に金メッキ端子として形成する方式と、回路基板からリード線を引き出して、リード線の先端にコネクターを形成する方式とがある。
【０００９】
【発明が解決しようとする課題】
従来の角型電池を用いた電池パックは、薄型直方体形状の筐体中に角型電池を収納している。薄型直方体形状の筐体の外面は六つの面からなるが、ここでは、この筐体の向かい合う最大面積をもつ二つの面のうち、筐体の上面を「天面」、筐体の下面を「底面」とし、筐体の残る四面を「側面」とする。筐体が薄型直方体形状の場合には、天面と底面の形状は同一である。
【００１０】
このような電池パックのさらなる薄型化を考えた場合、天面や底面の厚さを薄くすることが一つの方策であるが、一般的にはこの面の厚さが０．３〜０．３５ｍｍを下回る領域での樹脂成形は、成形金型内で樹脂が十分に流動しないため、成形品の歩留まりが著しく低下する問題があった。したがって、筐体樹脂の天面や底面を薄くすることで電池パックを薄型化することには限界があった。
【００１１】
この理由は、電池パック用筐体の樹脂として、一般的に用いられるポリカーボネート樹脂の流動性が低いためである。
【００１２】
なお、樹脂成形可能な天面の厚さは、天面や底面の面積が小さいほど薄くすることができる。これは、樹脂の流動距離が短いことによるものであり、反対に天面や底面の面積が大きくなり、樹脂の流動距離が長くなるほど、天面や底面の厚さを大きくすることが必要である。
【００１３】
現在の技術では、薄肉成形に有利な高速成形機を使用した場合でも、天面や底面の寸法が約３０ｍｍ×４０ｍｍの場合は、量産性を考慮すると、天面や底面の厚さの最小値は０．３ｍｍが限界であり、天面や底面の寸法が約３５ｍｍ×５５ｍｍの場合は、天面や底面の厚さの最小値は０．３５ｍｍが限界である。
【００１４】
また、一方で、電池パックの高エネルギー密度化には、角型の電池を用いて電池パックの筐体との間の無駄な空間を小さくすることが望ましい。そこで、最近では、軽量化を目的として電池のケースに従来の鉄よりも強度が弱いアルミニウムが用いられるようになり、このことによって、電池の充放電のサイクル回数が進むほど、内圧の上昇に伴う電池の膨れが従来よりも大きく現れるという問題が生じている。
【００１５】
その結果、最近の電池パックでは、高エネルギー密度であるほど、初期状態と比較して、充放電サイクル経過後の厚み増加が大きく、本体機器の電池パックホルダー部分と電池パックとの隙間が不十分な場合には、電池パックが本体機器から抜けなくなる不具合が生じることがある。
【００１６】
さらに、図１に示したような、電池パックの筐体として二つ以上の樹脂成型品を使用し、超音波溶着方式で電池パックを製作する場合には、超音波振動が筐体内部の電池などに伝わって損傷するのを防ぐことを目的として、設計的に超音波の発振側の筐体樹脂と電池との間にはクリアランス（遊隙）を設けている。このクリアランスは、上記の電池パックの膨れを緩和する効果がある一方で、電池パックの高エネルギー密度化には反するという問題もあった。
【００１７】
本発明の目的は、上記問題点を解決し、初期の厚みが薄く、充放電サイクル経過後も厚み増加が僅かであり、エネルギー密度の高い電池パックを提供することにある。
【００１８】
【課題を解決するための手段】
請求項１の発明は、形状が薄型直方体の筐体内に角型電池を収納した電池パックにおいて、前記筐体の最大面積をもつ二つの面の中央部に開口部を設け、前記開口部が絶縁材で被覆されていることを特徴とする。
【００１９】
請求項１の発明によれば、きわめて薄型の電池パックを作製することができ、エネルギー密度の高い電池パックを得ることができる。
【００２０】
【発明の実施の形態】
本発明は、形状が薄型直方体の筐体中に角型電池を収納した電池パックにおいて、筐体の最大面積をもつ二つの面（天面および底面）の中央部に開口部を設け、この開口部が絶縁材で被覆されていることを特徴とするものである。
【００２１】
本発明の電池パックの構造例を、図２〜図４を参照して説明する。図２〜図４において、記号１および３〜９は図１と同じものを示しており、２は被覆用絶縁材、１０は上ケースの開口部、１１は下ケースの開口部、１２はコアパック、１３は電池パック、ｘはケースの開口部の電池の短辺からの距離、ｙはケースの開口部の電池の長辺からの距離である。
【００２２】
図２は、本発明になる電池パックの組立方法を示す模式図である。まず、図２（ａ）に示したように、電池３に絶縁材５を取り付け、回路基板７と負極端子４とを、金属製リードからなる配線材６で接続し、同時に、回路基板７と正極端子を兼ねる電池ケースとを金属製リードからなる配線材（図示せず）で接続し、コアパック１２とする。
【００２３】
つぎに、コアパック１２を下ケース９に入れ、上ケース１をのせて、上ケース１と下ケース９とを嵌合する。そして、この嵌合体を被覆用絶縁材２で包むことで接合するとともに、上ケースの開口部１０および下ケースの開口部１１とを被覆用絶縁材２で覆い、図２（ｂ）に示した電池パック１３を作製した。なお、この場合、両面接着テープを用いて、電池３を下ケース９または上ケース１に固定してもよい。
【００２４】
図３は本発明になる電池パックの一例を示した図で、図３（ａ）は上面からの透視図、図３（ｂ）は要部断面図である。図３（ａ）に示すように、上ケース１および下ケース９には、電池の短辺からの距離ｘおよび電池の長辺からの距離ｙの部分に、上ケースの開口部１０および下ケースの開口部１１が設けられている。また、図３（ｂ）に示したように、この電池パックの場合には、電池３を、上ケース１と下ケース９とからなる筐体に収納した後、上ケース１と下ケース９の外側から被覆用絶縁材２で被覆している。
【００２５】
図４は本発明になる電池パックの他の例を示した図で、図４（ａ）は上面からの透視図、図４（ｂ）は要部断面図である。この例では、図４（ｂ）に示したように、電池３を被覆用絶縁材２で被覆した後、これを下ケース９に収納し、さらに上ケース１を嵌合させ、上ケース１と下ケース９とを、両面接着テープ８を用いて電池３に接合させて電池パックとする。
【００２６】
本発明において、被覆用絶縁材の形状としては、テープ状またはシート状の絶縁材を用い、被覆用絶縁材の材料としては、ポリオレフィン樹脂、ポリエチレンテレフタル酸樹脂（ＰＥＴ）などを用いることができる。また、被覆用絶縁材の厚さとしては０．０３〜０．１ｍｍの範囲が好ましい。
【００２７】
本発明の電池パックに使用する電池としては、鉛蓄電池、ニッケル−カドミウム電池、ニッケル−水素電池などの水溶液系二次電池またリチウムイオン電池などの非水電解質二次電池を用いることができる。特に、エネルギー密度の高い電池パックとしては、非水電解質二次電池を用いることが好ましい。また、薄型電池パック用としては、アルミニウム製電池ケースを用いた角形非水電解質二次電池が適している。
【００２８】
現在、量産されている薄型直方体形状のアルミニウム製電池ケースを用いた角形非水電解質二次電池の寸法を調べた結果、最も膨れやすい電池の最大面積をもつ二つの面（これを「電池の天面」と「電池の底面」とする。薄型直方体形状の電池ケーの場合には、電池の天面と電池の底面の形状は同じである）の寸法は、長辺が４０〜５４ｍｍ、短辺が３０〜３４ｍｍである。
【００２９】
そして、これらの角形非水電解質二次電池の、充放電サイクル経過後の膨れを計測した結果、最も大きく膨れる電池の天面および電池の底面の、中央部の厚さ増加は、電池の天面（または電池の底面）の寸法が大きいほど大きくなり、０．３〜０．５ｍｍで変化するが、一方で、重要なこととして、電池の天面（または電池の底面）の端辺付近の厚さ増加は、電池の天面（または電池の底面）の寸法に関係なくほぼ同じであることがわかった。
【００３０】
この計測結果を図５および図６に示す。図５および図６は、電池の短辺からの距離ｘまたは電池の長辺からの距離ｙに対する、５００サイクルの充放電経過後の、電池厚さの増加量を示したものであり、図５は電池の天面（＝電池の底面）の寸法が４０ｍｍ×３０ｍｍの場合であり、図６は電池の天面（＝電池の底面）の寸法が５４ｍｍ×３４ｍｍの場合である。なお、電池厚さの増加量に対する電池厚さの影響は、一般的な電池厚さ３．６〜６．２ｍｍの範囲内では、ほとんど認められなかった。
【００３１】
図５から、電池の天面（＝電池の底面）の寸法が４０ｍｍ×３０ｍｍの場合、電池の中央部（ｘ＝２０ｍｍまたはｙ＝１５ｍｍ）では、５００サイクル後は初期に比べて約０．３ｍｍ膨れているが、周縁部では、ｘが６ｍｍ以下の範囲およびｙが４ｍｍ以下の範囲では、電池の膨れは約０．１ｍｍ以下となり、この領域では電池の厚みの増加は小さくなっていることが示された。
【００３２】
また、図６から、電池の天面（＝電池の底面）の寸法が５４ｍｍ×３４ｍｍの場合、電池の中央部（ｘ＝２７ｍｍまたはｙ＝１７ｍｍ）では、５００サイクル後は初期に比べて約０．５ｍｍ膨れているが、周縁部では、ｘが６ｍｍ以下の範囲およびｙが４ｍｍ以下の範囲では、図５と同じく、電池の膨れは約０．１ｍｍ以下となり、この領域では電池の厚みの増加は小さくなっていることが示された。
【００３３】
本発明の電池パックは、筐体の天面（または底面）の中央部に開口部を設けるものである。筐体を構成する上ケースや下ケースを金型での樹脂成形で作製する場合、筐体のケースの天面（または底面）の中央部には樹脂が流動しずらいが、本発明の場合、中央部分には樹脂を充填する必要がないため、ケースの天面（または底面）の端辺付近の厚みを従来よりも薄くして成形することができる。
【００３４】
具体的には、従来の、天面（または底面）の中央部に開口部を設けないケースの場合には、薄肉での成形は０．３ｍｍが限界であったが、本発明の、天面（または底面）の中央部に開口部を設けたケースの場合には、０．１５ｍｍでの成形が可能である。このことによって、初期状態での電池パックの厚みを薄くすることができる。
【００３５】
また、天面（または底面）の中央部に開口部を設けたケースの場合には、この開口部が電池が膨れた際の逃げしろの役目を果たし、充放電のサイクルを経過して電池が膨れた場合でも、電池パックの厚みの増加を抑えることができる。
【００３６】
さらに、本発明では、電池を外部から絶縁するために、電池表面または筐体表面を被覆用絶縁材で被覆する構造としているが、筐体表面をテープ状絶縁材で被覆する構造は、特に、薄肉の筐体の機械的強度を補強するのに適しており、電池パックの薄型化に有効である。
【００３７】
【実施例】
つぎに、実施例として、角型非水電解質二次電池を使用した薄型電池パックについて詳細に説明する。また、本発明は下記実施例に限定されるものではなく、その要旨を変更しない範囲で適宜変更して実施することが可能である。
【００３８】
［非水電解質二次電池の内容］
電池としては、つぎに示す電池Ｘおよび電池Ｙの二種類を使用した。電池Ｘは、正極活物質にリチウムコバルト複合酸化物（ＬｉＣｏＯ２）を用いた。正極合剤は、活物質であるＬｉＣｏＯ２（９１ｗｔ％）と、導電材のアセチレンブラック（３ｗｔ％）と、結着剤であるポリフッ化ビニリデン（６ｗｔ％）とを混合したものに、Ｎ−メチル−２−ピロリドンを加えて分散させ、ペースト状に調製し、このペーストを厚さ２０μｍのアルミニウム集電体の両面にドクターブレードで均一に塗布し、乾燥させた後、ロールプレスで圧縮成型して、正極板を作製した。正極板の寸法は厚さ１６０μｍ、幅２６ｍｍ、長さ３２０ｍｍとした。
【００３９】
負極活物質にホスト物質としてのグラファイトを用いた。負極合剤は、活物質であるグラファイト（９２ｗｔ％）と、結着剤であるポリフッ化ビニリデン（８ｗｔ％）とを混合したものに、Ｎ−メチル−２−ピロリドンを加えて分散させ、ペースト状に調製し、このペーストを厚さ１４μｍの銅集電体の両面にドクターブレードで均一に塗布し、乾燥させた後、ロールプレスで圧縮成型して、負極板を作製した。負極板の寸法は厚さ１６０μｍ、幅２７ｍｍ、長さ２８０ｍｍとした。
【００４０】
セパレータには、厚み２０μｍの微多孔性ポリエチレンフィルムを用いた。非水電解液には、エチレンカーボネート（ＥＣ）とエチルメチルカーボネート（ＥＭＣ）の容積比５０：５０の混合液にＬｉＰＦ６を１モル／リットル溶解したものを用いた。
【００４１】
そして、正極板と負極板とをセパレータを介して重ね合わせて、ポリエチレン製の巻芯を中心にして、その周囲に長円渦巻状に巻いて、の巻回型極板群とし、この巻回型極板群をアルミニウム製角型電池ケースに収納し、電解液を注液後、注液口を封口することにより、電池Ｘを得た。電池Ｘの寸法は、長さ４０．５ｍｍ、幅３０ｍｍ、厚み３．６ｍｍであり、公称容量は３５０ｍＡｈとした。なお、電池の天面および底面の寸法は３０ｍｍ×４０ｍｍである。
【００４２】
さらに、正極板の寸法を厚さ１６０μｍ、幅３０ｍｍ、長さ７００ｍｍとし、負極板の寸法を厚さ１６０μｍ、幅３１ｍｍ、長さ６５０ｍｍとした以外は、電池Ｘと同様にして、電池Ｙを得た。電池Ｙの寸法は、長さ５４．５ｍｍ、幅３４ｍｍ、厚み６．２ｍｍであり、公称容量は１０００ｍＡｈとした。なお、電池の天面および底面の寸法は３４ｍｍ×５４ｍｍである。
【００４３】
［実施例１］
電池Ｘと、保護回路を含む回路基板、ＰＴＣ素子および配線材などからなるコアパックを、二つのポリカーボネート製の筐体に収納した後、筐体の外面を片面に粘着層を有するテープ状の絶縁材（ポリエチレンテレフタレート）で被覆することで、外形寸法が長さ４５．５ｍｍ、幅３３ｍｍ、厚さ４．１５ｍｍである電池パックＡを製作した。電池パックＡの構造は図３に示したのと同様である。
【００４４】
筐体の上ケース１の開口部１０および下ケース９の開口部１１は、図３に示したように、電池の短辺からの距離（ｘ）は６ｍｍ、電池の長辺からの距離（ｙ）は４ｍｍとなっている。なお、上ケース１の天面の厚みおよび下ケース９の底面の厚みは共に０．２ｍｍとし、テープ状の被覆用絶縁材２の厚みは０．０５ｍｍとし、さらに、筐体内で電池が移動するのを防ぐために、上ケース１と電池３とを厚み０．０５ｍｍの両面粘着テープ８で固定した。
【００４５】
［実施例２］
電池Ｙと、保護回路を含む回路基板、ＰＴＣ素子および配線材などからなるコアパックを、二つのポリカーボネート製の筐体に収納した後、筐体の外面を片面に粘着層を有するテープ状の絶縁材（ポリエチレンテレフタレート）で被覆することで、外形寸法が長さ５９．５ｍｍ、幅３７ｍｍ、厚さ６．８５ｍｍである電池パックＢを製作した。電池パックＢの構造は図３に示したのと同様である。
【００４６】
筐体の上ケース１の開口部１０および下ケース９の開口部１１は、図３に示したように、電池の短辺からの距離（ｘ）は６ｍｍ、電池の長辺からの距離（ｙ）は４ｍｍとなっている。なお、上ケース１の天面の厚みおよび下ケース９の底面の厚みは共に０．２５ｍｍとし、テープ状の被覆用絶縁材２の厚みは０．０５ｍｍとし、さらに、筐体内で電池が移動するのを防ぐために、下ケース９と電池３とを厚み０．０５ｍｍの両面粘着テープ８で固定した。
【００４７】
［実施例３］
電池Ｘと、保護回路を含む回路基板、ＰＴＣ素子および配線材などからなるコアパックを、二つのポリカーボネート製の筐体に収納した後、筐体の外面を片面に粘着層を有するテープ状の絶縁材（ポリエチレンテレフタレート）で被覆することで、外形寸法が長さ４５．５ｍｍ、幅３３ｍｍ、厚さ４．２ｍｍである電池パックＣを製作した。電池パックＣの構造は図４に示したのと同様である。
【００４８】
筐体の上ケース１の開口部１０および下ケース９の開口部１１は、図４に示したように、電池の短辺からの距離（ｘ）は６ｍｍ、電池の長辺からの距離（ｙ）は４ｍｍとなっている。なお、上ケース１の天面の厚みおよび下ケース９の底面の厚みは共に０．２ｍｍとし、テープ状の被覆用絶縁材２の厚みは０．０５ｍｍとし、さらに、筐体内で電池が移動するのを防ぐために、上ケース１および下ケース９と電池３とを厚み０．０５ｍｍの両面粘着テープ８で固定した。
【００４９】
［比較例１］
電池Ｘと、保護回路を含む回路基板、ＰＴＣ素子および配線材などからなるコアパックを、二つのポリカーボネート製の筐体に収納した後、超音波溶着にて二つの筐体を接合して、外形寸法が長さ４５．５ｍｍ、幅３３ｍｍ、厚さ４．３ｍｍである電池パックＤを製作した。電池パックＤの構造は図１に示したのと同様である。
【００５０】
なお、筐体の上ケース１の天面の厚みおよび下ケース９の底面の厚みは共に０．３ｍｍとし、筐体内で電池が移動するのを防ぐために、下ケース９と電池３とを厚み０．０５ｍｍの両面粘着テープ８で固定した。
【００５１】
また、超音波振動が筐体内部の電池などに伝わって損傷するのを防ぐことを目的として、超音波の発信側の筐体樹脂（この場合は上ケース）と電池との間には０．０５ｍｍのクリアランス（遊隙）を設けた。
【００５２】
［比較例２］
電池Ｙと、保護回路を含む回路基板、ＰＴＣ素子および配線材などからなるコアパックを、二つのポリカーボネート製の筐体に収納した後、超音波溶着にて二つの筐体を接合して、外形寸法が長さ５９．５ｍｍ、幅３７ｍｍ、厚さ７ｍｍである電池パックＥを製作した。電池パックＥの構造は図１に示したのと同様である。
【００５３】
なお、筐体の上ケース１の天面の厚みおよび下ケース９の底面の厚みは共に０．３５ｍｍとし、筐体内で電池が移動するのを防ぐために、下ケース９と電池３とを厚み０．０５ｍｍの両面粘着テープ８で固定した。
【００５４】
また、超音波振動が筐体内部の電池などに伝わって損傷するのを防ぐことを目的として、超音波の発信側の筐体樹脂（この場合は上ケース）と電池との間には０．０５ｍｍのクリアランス（遊隙）を設けた。
【００５５】
次に、充放電サイクル前後の電池パックの厚さを比較した。電池パック各１０個について、まず、充放電サイクル前（初期状態）の厚さ（天面と底面間の厚さ）を測定し、つぎに、各電池パックを、２５℃において、１ＣｍＡ（１時間率）定電流で４．２Ｖまで、さらに４．２Ｖ定電圧で、合計３時間充電し、その後、１ＣｍＡ定電流で２．７５Ｖまで放電するという条件で、充放電サイクルを５００サイクル繰り返した。その後、電池パックの厚さを測定した。測定結果を表１に示した。なお、表１では、各電池パックの厚さは、それぞれ１０個の電池パックの平均値を示した。また、電池パックの厚さの「比較例との差」は、実施例１および実施例３は比較例１との差、また、実施例２は比較例２との差を示した。
【００５６】
【表１】
2004022234.tif 000003
【００５７】
図７に、実施例１の電池パックＡ、実施例３の電池パックＣおよび比較例１の電池パックＤの、厚みの変化の比較を示す断面図である。図７における記号１〜９は、図３と同じものを示す。
【００５８】
図７（ａ）は実施例１の電池パックＡの、図７（ｂ）は実施例３の電池パックＣの、また図７（ｃ）は比較例１の電池パックＤの、充放電サイクル前後の、電池パックの厚さの変化の様子を示す。
【００５９】
図７（ａ）と図７（ｃ）の比較および表１から、実施例１の電池パックＡは比較例１の電池パックＤと比較して、初期状態では厚さを０．１５ｍｍ低減でき、充放電サイクル後では厚さを０．２５ｍｍ低減できることがわかった。
【００６０】
また、図７（ｂ）と図７（ｃ）の比較および表１から、実施例３の電池パックＣは比較例１の電池パックＤと比較して、初期状態では厚さを０．１ｍｍ低減でき、充放電サイクル後では厚さを０．２ｍｍ低減できることがわかった。
【００６１】
さらに、表１から、実施例２の電池パックＢは比較例２の電池パックＥと比較して、初期状態では厚さを０．１５ｍｍ低減でき、充放電サイクル後では厚さを０．４５ｍｍ低減できることがわかった。
【００６２】
また、表１からもわかるように、実施例の電池パック薄型化の効果は、比較例の電池パックと比較した場合、初期状態よりも充放電サイクル後の方が大きくなっている。この理由は、実施例の電池パックの筐体の、天面や底面に設けた開口部が電池の膨れしろとなり、０．１ｍｍ以上の電池の膨れは開口部から逃がすことができるためである。すなわち、電池の膨れ０．３〜０．５ｍｍに対して、電池パックの厚さ増加量を０．１ｍｍ以内に押さえることができる。
【００６３】
【発明の効果】
本発明の電池パックでは、筐体の最大面積をもつ二つの面の中央部に開口部を設けることにより、充放電サイクル後においても膨れの小さい、薄型の電池パックを得ることができ、その工業的価値は大きい。
【図面の簡単な説明】
【図１】従来の電池パックの構造を示す図。
【図２】本発明になる電池パックの組立方法を示す模式図。
【図３】本発明になる電池パックの一例を示した図。
【図４】本発明に係る電池パックの他の例を示した図。
【図５】天面の寸法が４０ｍｍ×３０ｍｍの場合の、電池の短辺からの距離ｘまたは電池の長辺からの距離ｙに対する、５００サイクルの充放電経過後の電池の、厚み増加量を示した図。
【図６】天面の寸法が５４ｍｍ×３４ｍｍの場合の、電池の短辺からの距離ｘまたは電池の長辺からの距離ｙに対する、５００サイクルの充放電経過後の電池の、厚み増加量を示した図。
【図７】電池パックＡ、電池パックＣおよび電池パックＤの、厚みの変化の比較を示す断面図。
【符号の説明】
１　上ケース
２　被覆用絶縁材
３　電池
４　電池の負極端子
５　絶縁材
６　配線材
７　回路基板
８　両面接着テープ
９　下ケース
１０　上ケースの開口部
１１　下ケースの開口部
１２　コアパック
１３　電池パック
ｘ　ケースの開口部の、電池の短辺からの距離
ｙ　ケースの開口部の、電池の長辺からの距離
【図１】
2004022234.tif 000004
【図２】
2004022234.tif 000005
【図３】
2004022234.tif 000006
【図４】
2004022234.tif 000007
【図５】
2004022234.tif 000008
【図６】
2004022234.tif 000009
【図７】
2004022234.tif 000010